【事件の表示】
　特願２００９−１６２００５「有機電界発光表示装置及びその駆動方法」拒絶査定不服審判事件〔平成２２年１月２８日出願公開、特開２０１０−２０３１０〕について、次のとおり審決する。
【結　論】
　本件審判の請求は、成り立たない。
【理　由】
１．手続の経緯
　この審判事件に関する出願（以下、「本件出願」という。）は、２００８年（平成２０年）７月１０日及び２００９年（平成２１年）６月３０日にそれぞれアメリカ合衆国でされた特許出願に基づくパリ条約の優先権を主張して平成２１年７月８日にされた特許出願である。そして、平成２４年５月７日付け手続補正書により特許請求の範囲についての補正がされ、平成２４年５月２４日付けで拒絶査定がされ、同年同月２９日に査定の謄本が送達された。
　これに対して、同年９月２８日に拒絶査定不服審判が請求された。
　
２．本件出願に係る発明
　本件出願の請求項１から８までのそれぞれに係る発明は、特許請求の範囲の請求項１から８までのそれぞれに記載された事項によって特定されるとおりのものである。特に、請求項１に係る発明（以下、「本件発明」という。）は、以下のとおりのものである。
　
「【請求項１】
　赤色、緑色及び青色の画素を備え、データ信号及び走査信号に対応して、前記赤色、緑色及び青色の画素から光を発光する画素部と、
　前記画素部の上部または下部に位置し、赤色、緑色及び青色の映像信号が伝達され、複数の出力チャネルでそれぞれ前記データ信号を生成して出力するとともに、前記データ信号は、前記複数の出力チャネルの番号順に従って、赤色データ信号、緑色データ信号及び青色データ信号が繰り返し出力されるデータ駆動部と、
　前記走査信号を出力する走査駆動部と、
　前記赤色映像信号に対応する前記赤色データ信号の電圧、前記緑色映像信号に対応する前記緑色データ信号の電圧、及び前記青色映像信号に対応する前記青色データ信号の電圧を決定するガンマ補正部と、
　前記データ駆動部の位置に対応して、前記赤色データ信号は前記赤色画素に伝達されるようにし、前記緑色データ信号は前記緑色画素に伝達されるようにし、前記青色データ信号は前記青色画素に伝達されるようにするガンマ変換部とを備え、
　前記ガンマ変換部は、
　ソースがデータ信号を出力する第１出力チャネルに接続され、ドレインが第１データ線に接続され、ゲートがガンマ変換信号線に接続される第１トランジスタと、
　ソースが前記第１出力チャネルに接続され、ドレインが第３データ線に接続され、ゲートが前記ガンマ変換信号線に接続される第２トランジスタと、
　ソースがデータ信号を出力する第３出力チャネルに接続され、ドレインが前記第１データ線に接続され、ゲートが前記ガンマ変換信号線に接続される第３トランジスタと、
　ソースが前記第３出力チャネルに接続され、ドレインが前記第３データ線に接続され、ゲートが前記ガンマ変換信号線に接続される第４トランジスタとを備え、
　前記第１及び第３トランジスタと前記第２及び第４トランジスタは、互いに異なる時間にオン状態になることを特徴とする有機電界発光表示装置。」
　
３．原査定の拒絶の理由
　本件発明に対する原査定の拒絶の理由は、概略以下のとおりである。
　
「本件発明は、本件出願の優先日前に日本国内又は外国において頒布された刊行物１に記載された発明と周知技術とに基づいて、本件出願の優先日前にその発明の属する技術の分野における通常の知識を有する者が容易に発明をすることができたものであるから、特許法第２９条第２項の規定により特許を受けることができない。
　
　　刊行物１：特開２００８−１０２３４５号公報」
　
４．刊行物１に記載された事項
（１）刊行物１の記載
　刊行物１には、以下の記載がある。
　
ア．段落０００２から０００７まで
「【０００２】
　ドットマトリックス型表示装置として、カラー表示の可能な液晶表示装置や有機ＥＬ（Electroluminescent）表示装置等が商品化されている。この種の表示装置は、表示パネルと、データ駆動回路とを備えている。表示パネルは、複数の画素がマトリックス状に配置されている。各画素は、赤（以下、Ｒと記す）、緑（以下、Ｇと記す）、青（以下、Ｂと記す）の３個のドット画素が所定の規則に従って配列されて構成されている。表示パネルの各ドット画素は、データ駆動回路により駆動される。この表示装置において、データ駆動回路からの駆動信号に、Ｒ，Ｇ，Ｂの各ドット画素の色ごとにγカーブ特性をもたすようにしたものがある。データ駆動回路は、通常、半導体集積回路装置（以下、ＩＣと記す）によって構成されている。
　【０００３】
　係る表示装置の一例が特許文献１に示されている。図１０は、特許文献１に示されている表示装置としての有機ＥＬ表示装置の構成を示すブロック図、図１１は、図１０の有機ＥＬ表示装置に用いられるデータ駆動回路１２の構成を示すブロック図である。有機ＥＬ表示装置は、図１０に示すように、カラー表示の可能な表示パネル（特許文献１では、有機ＥＬ表示器と記載）１と、この表示パネル１の駆動を行う駆動部とを備えている。
　【０００４】
　表示パネル１は、複数の有機ＥＬ素子がマトリクス状に配置されて構成された複数の画素と、表示を行うラインを順に選択するための複数の走査電極２と、選択されたライン上の画素を表示データに基づいて駆動するための複数のデータ電極３とを有している。表示パネル１では、Ｒ，Ｇ，Ｂの各色毎の画素が所定の規則に従って配列されている。データ電極３は、Ｒ，Ｇ，Ｂの各色用の電極３Ｒ，３Ｇ，３Ｂを含んでいる。これらの電極３Ｒ，３Ｇ，３Ｂは、画素の配列に対応して所定の規則に従って配列されている。ここでは、電極３Ｒ，３Ｇ，３Ｂの順で、繰り返し、配列されているものとする。
　【０００５】
　駆動部は、表示データに基づいて表示パネル１のデータ電極３を駆動するデータ駆動回路１２を有している。データ駆動回路１２は、ＩＣ化されて複数個設けられ、これらは、カスケード接続されている。
　【０００６】
　データ駆動回路１２は、図１１に示すように、Ｒ，Ｇ，Ｂ毎に別個に出力信号の制御を行うＰＷＭ出力部２３Ｒ，２３Ｇ，２３Ｂおよび出力段ドライバ２５Ｒ，２５Ｇ，２５Ｂを備えていると共に、データ駆動回路１２の出力部２６が、各出力段ドライバ２５Ｒ，２５Ｇ，２５Ｂの出力信号を１つずつ出力するための３つの出力端子２７Ｒ，２７Ｇ，２７Ｂを１組として含む複数組の出力端子群２７を有している。これにより、別個に制御されたＲ，Ｇ，Ｂ毎の駆動信号を１組として表示パネル１に出力することができる。
　【０００７】
　図１２は、データ駆動回路１２と表示パネル１との間の配線の様子を概念的に示したものである。このように、データ駆動回路１２における出力端子の配列の順序を、各出力端子に対応する表示パネル１の入力端子としてのデータ電極３Ｒ，３Ｇ，３Ｂの配列の順序と同じにしている。なお、図中の“０１”，“０２”，…，“ｍ”，“ｍ＋１”，“ｍ＋２”，…，“ｎ”は、列の番号を表している。…（略）…」
　
イ．段落０００８から００１１まで
「【０００８】
　ところで、上述のＩＣ化されたデータ駆動回路１２を所定の基板に実装する場合、フェースアップ実装とフェースダウン実装とに同一ＩＣチップを用いることができないという問題がある。以下、図面を参照して説明する。
　【０００９】
　図１３は、フェースアップ実装でデータ駆動回路１２の出力端子２７Ｒ，２７Ｇ，２７Ｂを表示パネル１のデータ電極３Ｒ，３Ｇ，３Ｂに接続した場合の具体的な一例を示したものである。この例では、データ駆動回路１２を構成するＩＣのチップ表面を上にして、出力端子２７Ｒとデータ電極３Ｒ、出力端子２７Ｇとデータ電極３Ｇ、出力端子２７Ｂとデータ電極３Ｂとでそれぞれ配線接続している。
　【００１０】
　これに対して、図１４は、図１３で用いた同一チップのデータ駆動回路１２をフェースダウン実装しようとした場合のデータ駆動回路１２の出力端子２７Ｒ，２７Ｇ，２７Ｂと表示パネル１のデータ電極３Ｒ，３Ｇ，３Ｂとの接続関係を示したものである。図１４に示すように、図１３で用いた同一チップのチップ表面を下にして実装しようとすると、出力端子２７Ｒとデータ電極３Ｂ、出力端子２７Ｇとデータ電極３Ｇ、出力端子２７Ｂとデータ電極３Ｒとでそれぞれ配線接続され、出力端子２７Ｒにデータ電極３Ｒ、出力端子２７Ｂにデータ電極３Ｂが接続されない。従って、出力端子２７ＲからはＲに対応したγカーブ特性の駆動信号がデータ電極３Ｂに出力され、出力端子２７ＢからはＢに対応したγカーブ特性の駆動信号がデータ電極３Ｒに出力されることになる。
　【００１１】
　従って、データ駆動回路１２をフェースダウン実装で表示パネル１に実装する場合には、出力端子２７Ｒにデータ電極３Ｒ、出力端子２７Ｂにデータ電極３Ｂが接続されるように、フェースダウン実装用として、フェースアップ実装用とは出力端子２７Ｒと２７Ｂとの配列を入れ替えたものを用意する必要がある（Ｇは変わらない）。すなわち、フェースアップ実装用とフェースダウン実装用に別々のデータ駆動回路のＩＣチップを用意しなければならない。このため実装方法（フェースアップ／フェースダウン）の異なる基板にデータ駆動回路の同一ＩＣチップを使用できないという問題がある。」
　
ウ．段落００１４から００１８まで
「【００１４】
　以下、本発明を適用した具体的な実施の形態について、図面を参照しながら詳細に説明する。図１は、本発明にかかる表示装置としての液晶表示装置の構成を示すブロック図である。図１に示すように、液晶表示装置は、表示パネル１００と、制御回路２００と、データ駆動回路３００と、走査駆動回路４００とを備えている。以下、表示パネル１００の解像度がＸＧＡ（１０２４×７６８画素：１画素はＲ，Ｇ，Ｂの３ドット画素からなる）、２６２１４４色表示（Ｒ，Ｇ，Ｂのそれぞれが６４階調としている）の場合を例に説明する。
　【００１５】
　表示パネル１００は、図面の横方向に配列されて縦方向に延びる各１０２４本のＲデータ線１０１Ｒ、Ｇデータ線１０１Ｇ、Ｂデータ線１０１Ｂと、図面の縦方向に配列されて横方向に延びる７６８本の走査線１０２（図１では、１本のみを図示）とを含む。各ドット画素は、ＴＦＴ１０３、画素容量１０４、液晶素子１０５とにより構成される。ＴＦＴ１０３のゲート端子は走査線１０２に、ソース（ドレイン）端子はデータ線１０１Ｒ，１０１Ｇ，１０１Ｂに、それぞれ接続される。また、ＴＦＴ１０３のドレイン（ソース）端子には画素容量１０４及び液晶素子１０５がそれぞれ接続される。画素容量１０４及び液晶素子１０５のＴＦＴ１０３と接続しない側の端子１０６は、例えば、図示せぬ共通電極に接続される。
　【００１６】
　制御回路２００は、外部から供給されるデジタルの画像データをデータ駆動回路３００が駆動できるデジタルの階調データ（以下、データと記す）に変換するとともに、データ駆動回路３００、走査駆動回路４００のタイミング制御を行う。
　【００１７】
　データ駆動回路３００は、走査線１０２の１ラインごと（１水平期間ごと）に、制御回路２００から供給される走査線１０２の１ライン分のデータをアナログの駆動信号に変換してデータ線１０１Ｒ，１０１Ｇ，１０１Ｂに出力する。データ駆動回路３００は、ＩＣ化されて、図１の例では、８個設けられ、これらは、カスケード接続されている。
　【００１８】
　走査駆動回路４００は、１水平期間ごとに、走査線１０２を線順次に駆動して走査線１０２上に並ぶＴＦＴ１０３をオン制御し、データ線１０１Ｒ，１０１Ｇ，１０１Ｂに印加される駆動信号を液晶素子１０５に供給する。」
　
エ．段落００１９から００２７まで
「【００１９】
　図２は、上述の液晶表示装置に適用される本発明の一実施形態のデータ駆動回路３００の構成を示すブロック図である。データ駆動回路３００は、図２の例では、１個で１２８画素の表示を分担（１２８×３ドット＝３８４出力）する。データ駆動回路３００は、図２に示すように、シフトレジスタ３１０と、データレジスタ３２０と、データラッチ回路３３０と、レベルシフタ３４０と、Ｄ／Ａコンバータ３５０と、出力回路３６０とを備えている。上述の液晶表示装置の例では、データ駆動回路３００のシフトレジスタ３１０の出力は次段のデータ駆動回路３００のシフトレジスタ３１０にカスケード出力され、８個のデータ駆動回路３００がカスケード接続される。
　【００２０】
　シフトレジスタ３１０は１２８段のレジスタからなり、スタートパルスＨＳＴ及びクロックＨＣＫが供給され、スタートパルスＨＳＴをクロックＨＣＫのタイミングで順次シフトしてデータレジスタ３２０にシフトパルス（ＳＰ１）〜シフトパルス（ＳＰ１２８）を出力するとともに次段のデータ駆動回路３００をカスケード接続するスタートパルスＨＳＴを出力する。
　【００２１】
　データレジスタ３２０は、１２８段のレジスタからなり、Ｒ，Ｇ，Ｂの各６ビットのパラレルのデータＲＤ，ＧＤ，ＢＤが各レジスタに供給され、シフトレジスタ３１０により供給されるシフトパルス（ＳＰ１）〜シフトパルス（ＳＰ１２８）の例えば立ち下がりタイミングで各レジスタが順次データＲＤ１，ＧＤ１，ＢＤ１〜ＲＤ１２８，ＧＤ１２８，ＢＤ１２８を保持する。
　【００２２】
　データラッチ回路３３０は、データレジスタ３２０の各レジスタ全てにデータＲＤ１，ＧＤ１，ＢＤ１〜ＲＤ１２８，ＧＤ１２８，ＢＤ１２８の入力が終了するとストローブ信号ＳＴＢが供給され、データレジスタ３２０の各レジスタに保持されている全データＲＤ１，ＧＤ１，ＢＤ１〜ＲＤ１２８，ＧＤ１２８，ＢＤ１２８をラッチする。データラッチ回路３３０にてラッチされたデータＲＤ１，ＧＤ１，ＢＤ１〜ＲＤ１２８，ＧＤ１２８，ＢＤ１２８は、レベルシフタ３４０により適宜レベルがシフトされる。
　【００２３】
　Ｄ／Ａコンバータ３５０は、レベルシフト後のデータＲＤ１，ＧＤ１，ＢＤ１〜ＲＤ１２８，ＧＤ１２８，ＢＤ１２８をデコードして駆動信号ＲＶ１，ＧＶ１，ＢＶ１〜ＲＶ１２８，ＧＶ１２８，ＢＶ１２８を出力するものである。Ｄ／Ａコンバータ３５０は、図３に６出力分を示すように、Ｒの駆動信号を出力するＤ／Ａコンバータ３５１Ｒと、Ｇの駆動信号を出力するＤ／Ａコンバータ３５１Ｇと、Ｂの駆動信号を出力するＤ／Ａコンバータ３５１Ｂとを有している。また、各Ｄ／Ａコンバータ３５１Ｒ，３５１Ｇ，３５１Ｂは、正極性の駆動信号を出力するＤ／Ａコンバータ３５１Ｒｐ，３５１Ｇｐ，３５１Ｂｐと、負極性の駆動信号を出力するＤ／Ａコンバータ３５１Ｒｎ，３５１Ｇｎ，３５１Ｂｎとを有している。各Ｄ／Ａコンバータ３５１Ｒ，３５１Ｇ，３５１Ｂは、Ｒ，Ｇ，Ｂごとにγカーブ特性を有する駆動信号を出力する。
　【００２４】
　出力回路３６０は、Ｄ／Ａコンバータ３５０から供給される駆動信号ＲＶ１，ＧＶ１，ＢＶ１〜ＲＶ１２８，ＧＶ１２８，ＢＶ１２８を増幅し出力端子Ｓ１１，Ｓ１２，Ｓ１３〜Ｓ１２８１，Ｓ１２８２，Ｓ１２８３に供給する。出力回路３６０は、図３に６出力分を示すように、極性切替回路３６１と、ＲＢ切替回路３６２と、出力アンプ回路３６３とを有している。
　【００２５】
　極性切替回路３６１は、極性切替信号ＰＯＬにより制御される３個の切替スイッチ３６１Ｒ，３６１Ｇ，３６１Ｂを有している。切替スイッチ３６１Ｒ，３６１Ｇ，３６１Ｂは、極性切替信号ＰＯＬ＝“Ｈ”レベルのとき、入力端子ａが出力端子ｃに接続されるとともに入力端子ｂが出力端子ｄに接続され、極性切替信号ＰＯＬ＝“Ｌ”レベルのとき、入力端子ａが出力端子ｄに接続されるとともに入力端子ｂが出力端子ｃに接続される。切替スイッチ３６１Ｒは、入力端子ａにＤ／Ａコンバータ３５１Ｒｐの出力が接続され、入力端子ｂにＤ／Ａコンバータ３５１Ｒｎの出力が接続されている。同様に、切替スイッチ３６１Ｇ，３６１Ｂは、入力端子ａにＤ／Ａコンバータ３５１Ｇｎ，３５１Ｂｐの出力が接続され、入力端子ｂにＤ／Ａコンバータ３５１Ｇｐ，３５１Ｂｎの出力が接続されている。
　【００２６】
　ＲＢ切替回路３６２は、ＲＢ切替信号ＲＢにより制御される２個の切替スイッチ３６２ａ１，３６２ａ２を有している。切替スイッチ３６２ａ１，３６２ａ２は、ＲＢ切替信号ＲＢ＝“Ｈ”レベルのとき、入力端子ａが出力端子ｃに接続されるとともに入力端子ｂが出力端子ｄに接続され、ＲＢ切替信号ＲＢ＝“Ｌ”レベルのとき、入力端子ａが出力端子ｄに接続されるとともに入力端子ｂが出力端子ｃに接続される。切替スイッチ３６２ａ１は、入力端子ａに切替スイッチ３６１Ｒの出力端子ｃが接続され、入力端子ｂに切替スイッチ３６１Ｂの出力端子ｃが接続されている。切替スイッチ３６２ａ２は、入力端子ａに切替スイッチ３６１Ｒの出力端子ｄが接続され、入力端子ｂに切替スイッチ３６１Ｂの出力端子ｄが接続されている。
　【００２７】
　出力アンプ回路３６３は、極性切替信号ＰＯＬに応じた極性のＤ／Ａコンバータ３５０からの駆動信号を増幅して出力する６個のボルテージフォロア接続のＡＭＰ３６３ａ１１，３６３ａ１２，３６３ａ１３，ＡＭＰ３６３ａ２１，３６３ａ２２，３６３ａ２３を有している。ＡＭＰ３６３ａ１１は、非反転入力端子（＋）に切替スイッチ３６２ａ１の出力端子ｃが接続されている。ＡＭＰ３６３ａ１２は、非反転入力端子（＋）に切替スイッチ３６１Ｇの出力端子ｃが接続されている。ＡＭＰ３６３ａ１３は、非反転入力端子（＋）に切替スイッチ３６２ａ１の出力端子ｄが接続されている。ＡＭＰ３６３ａ２１は、非反転入力端子（＋）に切替スイッチ３６２ａ２の出力端子ｃが接続されている。ＡＭＰ３６３ａ２２は、非反転入力端子（＋）に切替スイッチ３６１Ｇの出力端子ｄが接続されている。ＡＭＰ３６３ａ２３は、非反転入力端子（＋）に切替スイッチ３６２ａ２の出力端子ｄが接続されている。」
　
オ．段落００２８から００３１まで
「【００２８】
　出力回路３６０の動作について図４〜９を参照して説明する。尚、ＡＭＰ３６３ａ１２，３６３ａ２２の非反転入力端子には、常にＤ／Ａコンバータ３５１Ｇの出力が切替スイッチ３６１Ｇを介して接続され、出力端子Ｓ１２，Ｓ２２は、常にＧの駆動信号ＧＶ１，ＧＶ２が出力される出力端子Ｓ１Ｇ，Ｓ２Ｇとして機能する。
（データ駆動回路３００をフェースアップ実装に用いる場合：図４を参照）
ＲＢ切替信号ＲＢ＝“Ｈ”レベルに設定する。切替スイッチ３６２ａ１，３６２ａ２は、入力端子ａが出力端子ｃに接続されるとともに入力端子ｂが出力端子ｄに接続される。これにより、ＡＭＰ３６３ａ１１，３６３ａ２１の非反転入力端子に、Ｄ／Ａコンバータ３５１Ｒの出力が切替スイッチ３６１Ｒを介して接続され、出力端子Ｓ１１，Ｓ２１は、Ｒの駆動信号ＲＶ１，ＲＶ２が出力される出力端子Ｓ１Ｒ，Ｓ２Ｒとして機能する。また、ＡＭＰ３６３ａ１３，３６３ａ２３の非反転入力端子に、Ｄ／Ａコンバータ３５１Ｂの出力が切替スイッチ３６１Ｂを介して接続され、出力端子Ｓ１３，Ｓ２３は、Ｂの駆動信号ＢＶ１，ＢＶ２が出力される出力端子Ｓ１Ｂ，Ｓ２Ｂとして機能する。この結果、データ駆動回路３００のフェースアップ実装において、図５に示すように、Ｒの駆動信号ＲＶ１〜ＲＶ１２８が出力される出力端子Ｓ１１（Ｓ１Ｒ）〜Ｓ１２８１（Ｓ１２８Ｒ）をＲデータ線１０１Ｒに接続することができるとともに、Ｂの駆動信号ＢＶ１〜ＢＶ１２８が出力される出力端子Ｓ１３（Ｓ１Ｂ）〜Ｓ１２８３（Ｓ１２８Ｂ）をＢデータ線１０１Ｂに接続することができる。このように、データ駆動回路３００をフェースアップ実装に用いる場合において、データ駆動回路３００における出力端子の配列の順序を、各出力端子に対応する表示パネル１００のデータ線１０１Ｒ，１０１Ｇ，１０１Ｂの配列の順序と同じにしている。
　【００２９】
　ＲＢ切替信号ＲＢ＝“Ｈ”レベルのときの極性切替回路３６１の動作について説明する。
（ＰＯＬ＝“Ｈ”レベルのとき：図６を参照）
各切替スイッチ３６１Ｒ，３６１Ｇ，３６１Ｂは、入力端子ａが出力端子ｃに接続されるとともに入力端子ｂが出力端子ｄに接続される。これにより、ＡＭＰ３６３ａ１１にＤ／Ａコンバータ３５１Ｒｐの出力が入力され、出力端子Ｓ１１から正極性の駆動信号ＲＶ１（＋）が出力される。ＡＭＰ３６３ａ１２にＤ／Ａコンバータ３５１Ｇｎの出力が入力され、出力端子Ｓ１２から負極性の駆動信号ＧＶ１（−）が出力される。同様に、出力端子Ｓ１３，Ｓ２２から正極性の駆動信号ＢＶ１（＋），ＧＶ２（＋）が出力され、出力端子Ｓ２１，Ｓ２３から負極性の駆動信号ＲＶ２（−），ＢＶ２（−）が出力される。
　【００３０】
（ＰＯＬ＝“Ｌ”レベルのとき：図７を参照）
各切替スイッチ３６１Ｒ，３６１Ｇ，３６１Ｂは、入力端子ａが出力端子ｄに接続されるとともに入力端子ｂが出力端子ｃに接続される。これにより、ＡＭＰ３６３ａ１１にＤ／Ａコンバータ３５１Ｒｎの出力が入力され、出力端子Ｓ１１から負極性の駆動信号ＲＶ１（−）が出力される。ＡＭＰ３６３ａ１２にＤ／Ａコンバータ３５１Ｇｐの出力が入力され、出力端子Ｓ１２から正極性の駆動信号ＧＶ１（＋）が出力される。同様に、出力端子Ｓ１３，Ｓ２２から負極性の駆動信号ＢＶ１（−），ＧＶ２（−）が出力され、出力端子Ｓ２１，Ｓ２３から正極性の駆動信号ＲＶ２（＋），ＢＶ２（＋）が出力される。
　【００３１】
（データ駆動回路３００をフェースダウン実装に用いる場合：図８を参照）
ＲＢ切替信号ＲＢ＝“Ｌ”レベルに設定する。切替スイッチ３６２ａ１，３６２ａ２は、入力端子ａが出力端子ｄに接続されるとともに入力端子ｂが出力端子ｃに接続される。これにより、ＡＭＰ３６３ａ１１，３６３ａ２１の非反転入力端子に、Ｄ／Ａコンバータ３５１Ｂの出力が切替スイッチ３６１Ｂを介して接続され、出力端子Ｓ１１，Ｓ２１は、Ｂの駆動信号ＢＶ１，ＢＶ２が出力される出力端子Ｓ１Ｂ，Ｓ２Ｂとして機能する。また、ＡＭＰ３６３ａ１３，３６３ａ２３の非反転入力端子に、Ｄ／Ａコンバータ３５１Ｒの出力が切替スイッチ３６１Ｒを介して接続され、出力端子Ｓ１３，Ｓ２３は、Ｒの駆動信号ＲＶ１，ＲＶ２が出力される出力端子Ｓ１Ｒ，Ｓ２Ｒとして機能する。この結果、データ駆動回路３００のフェースダウン実装において、図９に示すように、Ｒの駆動信号ＲＶ１〜ＲＶ１２８が出力される出力端子Ｓ１３（Ｓ１Ｒ）〜Ｓ１２８３（Ｓ１２８Ｒ）をＲデータ線１０１Ｒに接続することができるとともに、Ｂの駆動信号ＢＶ１〜ＢＶ１２８が出力される出力端子Ｓ１１（Ｓ１Ｂ）〜Ｓ１２８１（Ｓ１２８Ｂ）をＢデータ線１０１Ｂに接続することができる。このように、データ駆動回路３００における出力端子の配列の順序を、各出力端子に対応する表示パネル１００のデータ線１０１Ｒ，１０１Ｇ，１０１Ｂの配列の順序と同じにしている。尚、ＲＢ切替信号ＲＢ＝“Ｌ”レベルのときの極性切替回路３６１の動作は、ＲＢ切替信号ＲＢ＝“Ｈ”レベルのときと同様であり、図示および動作説明を省略する。」
　
（２）刊行物１に記載された発明（引用発明）
ア．刊行物１には、表示パネル１００と、制御回路２００と、データ駆動回路３００と、走査駆動回路４００とを備える液晶表示装置が記載されている（上記（１）ウ．）。
　
イ．表示パネル１００は、複数個（具体的には１０２４×７６８個）の画素を備え、各画素は、Ｒ、Ｇ、Ｂの３ドット画素からなる。また、表示パネル１００は、それぞれ複数本（具体的には１０２４本）のＲデータ線１０１Ｒ、Ｇデータ線１０１Ｇ、Ｂデータ線１０１Ｂと、複数本（具体的には７６８本）の走査線１０２とを備える（上記（１）ウ．）。
　
ウ．走査駆動回路４００は、１水平期間ごとに走査線１０２を順次駆動して、Ｒデータ線１０１Ｒ、Ｇデータ線１０１Ｇ、Ｂデータ線１０１Ｂに出力されるアナログ駆動信号を各画素に供給する（上記（１）ウ．）。
　
エ．データ駆動回路３００は、１水平期間ごとに、制御回路２００から供給される走査線１０２の１ライン分のＲ、Ｇ、Ｂのデジタル階調データをＲ、Ｇ、Ｂのアナログ駆動信号に変換し、出力端子から出力する（上記（１）ウ．及びエ．）。ここで、アナログ駆動信号は、Ｒ、Ｇ、Ｂごとにγカーブ特性を有する（上記（１）エ．、段落００２３）。
　データ駆動回路３００は、さらに、ＲＢ切替信号ＲＢにより制御される２個の切替スイッチ３６２ａ１、３６２ａ２を有するＲＢ切替回路３６２を備える（同、段落００２６）。
　
オ．ＲＢ切替回路３６２は、データ駆動回路３００の出力端子のうち、Ｒのアナログ駆動信号が出力される出力端子とＢのアナログ駆動信号が出力される出力端子とを入れ替えることができる（上記（１）オ．）。
　Ｒのアナログ駆動信号が出力される出力端子とＢのアナログ駆動信号が出力される出力端子とが入れ替え可能になっているので、データ駆動回路３００をフェースアップ実装に用いる場合もフェースダウン実装に用いる場合も、それぞれに専用のデータ駆動回路３００を用意することなく、データ駆動回路３００の出力端子の配列の順序を、各出力端子に対応する表示パネル１００のＲデータ線１０１Ｒ、Ｇデータ線１０１Ｇ、Ｂデータ線１０１Ｂの配列の順序と同じにすることができる（上記（１）イ．及びオ．）。
　
カ．データ駆動回路３００は、Ｒのアナログ駆動信号が出力される出力端子とＢのアナログ駆動信号が出力される出力端子とを入れ替えた場合も、そうでない場合も、その出力端子の順番に従って、Ｒ、Ｇ、Ｂのアナログ駆動信号を出力する（上記（１）オ．並びに図４及び８）。
　
キ．ところで、刊行物１では、液晶表示装置や有機ＥＬ表示装置等がドットマトリックス型表示装置の例として挙げられている。そして、表示パネル１とデータ駆動回路１２とを備えた有機ＥＬ表示装置を例にして、フェースアップ実装とフェースダウン実装とに同一のデータ駆動回路１２を用いることができないという課題が説明されている（上記（１）ア．及びイ．）。そして、この課題を解決する手段として、刊行物１に記載された液晶表示装置は、データ駆動回路３００にＲＢ切替回路３６２を備えている（上記（１）イ．及びオ．）。
　そうすると、刊行物１に記載された液晶表示装置は、有機ＥＬ表示装置を含むドットマトリックス型表示装置の一つの例にすぎないことが分かる。すなわち、上記ア．からオ．までで述べたことは、液晶表示装置だけでなく、有機ＥＬ表示装置にも当てはまると認められる。
　
ク．以上のことを踏まえて、上記（１）ア．からオ．までの記載と、図１から５まで及び８から１４までに示された事項とを総合すると、刊行物１には、以下の発明（以下、「引用発明」という。）が記載されている。
　
「それぞれがＲ、Ｇ、Ｂの３ドット画素からなる複数個の画素と、それぞれ複数本のＲデータ線１０１Ｒ、Ｇデータ線１０１Ｇ、Ｂデータ線１０１Ｂと、複数本の走査線１０２とを備える表示パネル１００と、
　１水平期間ごとに、制御回路２００から供給されるＲ、Ｇ、Ｂのデジタル階調データを、Ｒ、Ｇ、Ｂごとにγカーブ特性を有するＲ、Ｇ、Ｂのアナログ駆動信号に変換し、出力端子の順番にしたがって出力するデータ駆動回路３００と、
　１水平期間ごとに走査線１０２を順次駆動して、Ｒデータ線１０１Ｒ、Ｇデータ線１０１Ｇ、Ｂデータ線１０１Ｂに出力されるアナログ駆動信号を各画素に供給する走査駆動回路４００と、
　データ駆動回路３００がフェースアップ実装かフェースダウン実装かに応じて、データ駆動回路３００の出力端子のうち、Ｒのアナログ駆動信号が出力される出力端子とＢのアナログ駆動信号が出力される出力端子とを入れ替えることにより、データ駆動回路３００の出力端子の配列の順序を、各出力端子に対応する表示パネル１００のＲデータ線１０１Ｒ、Ｇデータ線１０１Ｇ、Ｂデータ線１０１Ｂの配列の順序と同じにするＲＢ切替回路３６２とを備え、
　ＲＢ切替回路３６２は、ＲＢ切替信号ＲＢにより制御される２個の切替スイッチ３６２ａ１、３６２ａ２を有する有機ＥＬ表示装置。」
　
５．対比
　本件発明と引用発明とを対比すると、以下のとおりである。
　
（１）引用発明の「表示パネル１００」、「データ駆動回路３００」、「走査駆動回路４００」及び「有機ＥＬ表示装置」は、それぞれ本件発明の「画素部」、「データ駆動部」、「走査駆動部」及び「有機電界発光表示装置」に相当する。
　また、引用発明の「Ｒ、Ｇ、Ｂのデジタル階調データ」及び「Ｒ、Ｇ、Ｂのアナログ駆動信号」は、それぞれ本件発明の「赤色、緑色及び青色の映像信号」及び「赤色データ信号、緑色データ信号及び青色データ信号」に相当する。
　
（２）引用発明の「走査駆動回路４００」が「１水平期間ごとに走査線１０２を順次駆動」することは、本件発明の「走査駆動部」が「走査信号を出力する」ことに相当する。
　
（３）引用発明の「表示パネル１００」が「それぞれがＲ、Ｇ、Ｂの３ドット画素からなる複数個の画素…を備える」ことは、本件発明の「画素部」が「赤色、緑色及び青色の画素を備え…る」ことに相当する。
　引用発明の「表示パネル１００」は、「有機ＥＬ表示装置」の「表示パネル１００」であるから、「Ｒ、Ｇ、Ｂの３ドット画素」は、それぞれ赤色、緑色、青色に発光すると認められる。
　引用発明の「走査駆動回路４００」が「１水平期間ごとに走査線１０２を順次駆動して、Ｒデータ線１０１Ｒ、Ｇデータ線１０１Ｇ、Ｂデータ線１０１Ｂに出力されるアナログ駆動信号を各画素に供給する」ことを踏まえると、引用発明の「表示パネル１００」が「複数個の画素と、それぞれ複数本のＲデータ線１０１Ｒ、Ｇデータ線１０１Ｇ、Ｂデータ線１０１Ｂと、複数本の走査線１０２とを備える」ことは、本件発明の「画素部」が「データ信号及び走査信号に対応して、前記赤色、緑色及び青色の画素から光を発光する」ことに相当する。
　したがって、引用発明の「それぞれがＲ、Ｇ、Ｂの３ドット画素からなる複数個の画素と、それぞれ複数本のＲデータ線１０１Ｒ、Ｇデータ線１０１Ｇ、Ｂデータ線１０１Ｂと、複数本の走査線１０２とを備える表示パネル１００」は、全体として、本件発明の「赤色、緑色及び青色の画素を備え、データ信号及び走査信号に対応して、前記赤色、緑色及び青色の画素から光を発光する画素部」に相当する。
　
（４）引用発明の「データ駆動回路３００」が「１水平期間ごとに、制御回路２００から供給されるＲ、Ｇ、Ｂのデジタル階調データを、…Ｒ、Ｇ、Ｂのアナログ駆動信号に変換し、出力端子の順番にしたがって出力する」ことは、本件発明の「データ駆動部」において「赤色、緑色及び青色の映像信号が伝達され、複数の出力チャネルでそれぞれ前記データ信号を生成して出力するとともに、前記データ信号は、前記複数の出力チャネルの番号順に従って、赤色データ信号、緑色データ信号及び青色データ信号が繰り返し出力される」ことに相当する。
　
（５）引用発明の「Ｒ、Ｇ、Ｂのアナログ駆動信号」が「Ｒ、Ｇ、Ｂごとにγカーブ特性を有する」ことから、引用発明の「データ駆動回路３００」は、「１水平期間ごとに、制御回路２００から供給されるＲ、Ｇ、Ｂのデジタル階調データを、…Ｒ、Ｇ、Ｂのアナログ駆動信号に変換」する際にＲ、Ｇ、Ｂごとにガンマ補正をしていると認められる。
　したがって、引用発明の「データ駆動回路３００」は、本件発明の「前記赤色映像信号に対応する前記赤色データ信号の電圧、前記緑色映像信号に対応する前記緑色データ信号の電圧、及び前記青色映像信号に対応する前記青色データ信号の電圧を決定するガンマ補正部」にも相当する。
　
（６）本件発明の「ガンマ変換部」の「前記赤色データ信号は前記赤色画素に伝達されるようにし、前記緑色データ信号は前記緑色画素に伝達されるようにし、前記青色データ信号は前記青色画素に伝達されるようにする」という動作は、具体的には、赤色ガンマが適用される第１出力チャネルの出力と青色ガンマが適用される第３出力チャネルの出力とを入れ替えることを意味する（本件出願の明細書の段落００１６及び００４０から００４６まで並びに図面の図４）。
　また、引用発明において、「データ駆動回路３００の出力端子の配列の順序を、各出力端子に対応する表示パネル１００のＲデータ線１０１Ｒ、Ｇデータ線１０１Ｇ、Ｂデータ線１０１Ｂの配列の順序と同じにする」と、引用発明の各「画素」を構成する「Ｒ、Ｇ、Ｂの３ドット画素」のそれぞれに、「Ｒ、Ｇ、Ｂのアナログ駆動信号」が供給されることは明らかである。
　したがって、引用発明の「データ駆動回路３００の出力端子のうち、Ｒのアナログ駆動信号が出力される出力端子とＢのアナログ駆動信号が出力される出力端子とを入れ替えることにより、データ駆動回路３００の出力端子の配列の順序を、各出力端子に対応する表示パネル１００のＲデータ線１０１Ｒ、Ｇデータ線１０１Ｇ、Ｂデータ線１０１Ｂの配列の順序と同じにするＲＢ切替回路３６２」は、本件発明の「前記赤色データ信号は前記赤色画素に伝達されるようにし、前記緑色データ信号は前記緑色画素に伝達されるようにし、前記青色データ信号は前記青色画素に伝達されるようにするガンマ変換部」に相当する。
　
（７）以上のことをまとめると、本件発明と引用発明との一致点及び相違点は、以下のとおりである。
　
（一致点）
「赤色、緑色及び青色の画素を備え、データ信号及び走査信号に対応して、前記赤色、緑色及び青色の画素から光を発光する画素部と、
　赤色、緑色及び青色の映像信号が伝達され、複数の出力チャネルでそれぞれ前記データ信号を生成して出力するとともに、前記データ信号は、前記複数の出力チャネルの番号順に従って、赤色データ信号、緑色データ信号及び青色データ信号が繰り返し出力されるデータ駆動部と、
　前記走査信号を出力する走査駆動部と、
　前記赤色映像信号に対応する前記赤色データ信号の電圧、前記緑色映像信号に対応する前記緑色データ信号の電圧、及び前記青色映像信号に対応する前記青色データ信号の電圧を決定するガンマ補正部と、
　前記赤色データ信号は前記赤色画素に伝達されるようにし、前記緑色データ信号は前記緑色画素に伝達されるようにし、前記青色データ信号は前記青色画素に伝達されるようにするガンマ変換部とを備える有機電界発光表示装置。」
　
（相違点１）
　本件発明では、「データ駆動部」が「画素部の上部または下部に位置し」、「ガンマ変換部」が「データ駆動部の位置に対応して」動作するのに対し、引用発明では、「データ駆動回路３００」（本件発明の「データ駆動部」に相当する。）と「表示パネル１００」（同じく「画素部」に相当する。）との位置関係が特定されず、「ＲＢ切替回路３６２」（同じく「ガンマ変換部」に相当する。）が「データ駆動回路３００がフェースアップ実装かフェースダウン実装かに応じて」動作する点。
　
（相違点２）
　本件発明の「ガンマ変換部」は、「ソースがデータ信号を出力する第１出力チャネルに接続され、ドレインが第１データ線に接続され、ゲートがガンマ変換信号線に接続される第１トランジスタと、ソースが前記第１出力チャネルに接続され、ドレインが第３データ線に接続され、ゲートが前記ガンマ変換信号線に接続される第２トランジスタと、ソースがデータ信号を出力する第３出力チャネルに接続され、ドレインが前記第１データ線に接続され、ゲートが前記ガンマ変換信号線に接続される第３トランジスタと、ソースが前記第３出力チャネルに接続され、ドレインが前記第３データ線に接続され、ゲートが前記ガンマ変換信号線に接続される第４トランジスタとを備え、前記第１及び第３トランジスタと前記第２及び第４トランジスタは、互いに異なる時間にオン状態になる」のに対し、引用発明の「ＲＢ切替回路３６２」（本件発明の「ガンマ変換部」に相当する。）は、「ＲＢ切替信号ＲＢにより制御される２個の切替スイッチ３６２ａ１、３６２ａ２を有する」点。
　
６．相違点についての判断
（１）相違点１について
　有機ＥＬ表示装置のデータ駆動部を画素部の上部に配置することも下部に配置することも、本件出願の優先日前に周知慣用の技術である。例えば、本件出願の優先日前に日本国内において頒布された刊行物である特開２００３−１７７６８０号公報には、画素部（複数の画素１２）の上部及び下部にそれぞれデータ駆動部（第１データ線駆動回路５４、第２データ線駆動回路５６）を配置したアクティブマトリクス型有機ＥＬディスプレイが記載されている（段落００１８から００２１まで及び図１）。また、同じく本件出願の優先日前に日本国内において頒布された刊行物である特開２００３−１３１６１８号公報には、データ駆動部（データドライバ４）を、電気光学素子として有機エレクトロルミネッセンス素子１４を用いた電気光学装置を適用した表示装置の画素部（画素領域２）に上部に設けた例（図５及び７）と下部に設けた例（図２及び４）が記載されている。
　引用発明の「データ駆動回路３００」を「表示パネル１００」の上部又は下部に配置することは、周知慣用技術の単なる適用にすぎない。
　ところで、「データ駆動回路３００」を「表示パネル１００」の上部に配置したり下部に配置したりすると、「データ駆動回路３００」をフェースアップ実装したりフェースダウン実装したりするときと同様に、「データ駆動回路３００」の出力端子の配列の順序が、各出力端子に対応する「表示パネル１００」の「Ｒデータ線１０１Ｒ」、「Ｇデータ線１０１Ｇ」及び「Ｂデータ線１０１Ｂ」の配列の順序と同じになったり逆になったりすることは、単純な幾何学的な考察により当業者が当然に理解することである。
　引用発明の「ＲＢ切替回路３６２」を、「データ駆動回路３００がフェースアップ実装かフェースダウン実装かに応じて」動作させることに代えて、「データ駆動回路３００」が「表示パネル１００」の上部に配置されているか下部に配置されているかに応じて動作させるようにすることは、引用発明に周知慣用技術を適用する際に当業者が適宜行い得る設計事項にすぎない。
　
（２）相違点２について
　４つのトランジスタのうちの２つと他の２つとを、各トランジスタのゲートに入力される切替信号によって異なる時間にオンすることで、切替信号に応答して２つの入力信号をそのまま出力したり入れ替えて出力したりする切替スイッチを構成することは、例えば本件出願の優先日前に日本国内において頒布された刊行物である特開２００６−３０８７８４号公報（段落０１４０から０１５５まで並びに図３及び４）及び特開２００３−３０２９４２号公報（段落００７２から００７９まで及び図６）に記載されているように、本件出願の優先日前に周知慣用の技術である。
　引用発明の「ＲＢ切替回路３６２」の「ＲＢ切替信号ＲＢにより制御される２個の切替スイッチ３６２ａ１、３６２ａ２」のそれぞれを、「ＲＢ切替信号ＲＢ」がゲートに入力される４つのトランジスタで構成し、４つのトランジスタのうちの２つと他の２つとが異なる時間にオンするようにすることは、周知慣用技術の単なる適用にすぎない。
　
７．むすび
　以上に検討したとおり、本件発明は、刊行物１に記載された発明（引用発明）と周知慣用技術とに基づき、当業者が容易に発明をすることができたものであるから、特許法第２９条第２項の規定により特許を受けることができない。
　したがって、他の請求項に係る発明について審理するまでもなく、本件出願は拒絶をすべきものである。
　よって、結論のとおり審決する。